(57)【要約】【目的】可変焦点式の撮像光学系を簡便でかつローコストで組み込む。【構成】電磁石２９を第１及び第２レンズ保持枠２４，２５の間に配す。第１及び第２レンズ保持枠２４，２５の外周に、リング状の永久磁石２８，３０を設ける。電磁石２９に流す電流の向きを切り換えることで電磁石２９と永久磁石２８，３０との間に作用する磁石の吸引及び反発を利用して固定筒２６に対して第１及び第２レンズ保持枠２４，２５を光軸方向に移動する。【選択図】        図４
2004212452.tif 000002
【特許請求の範囲】
【請求項１】
撮影レンズを構成するうちの一レンズ群を他のレンズ群との間隔が異なるように光軸方向に移動して焦点距離を変更する可変焦点式の撮影光学系を組み込んだカメラ付き電子機器において、
前記レンズ群を保持するレンズ保持部材と、前記レンズ保持部材に設けられた永久磁石と、前記永久磁石との間で作用する吸着又は反発を利用して前記レンズ保持部材を移動させる固定の電磁石と、前記レンズ保持部材を光軸方向に位置決めする位置決め手段とを備えたことを特徴とするカメラ付き電子カメラ。
【請求項２】
前記電磁石は、前記レンズ保持部材のうちの光軸方向に沿う一方側に配され、前記レンズ保持部材を光軸方向に移動させるとともに、前記位置決め手段は、光軸方向での異なる二位置に位置決めすることを特徴とする請求項１記載のカメラ付き電子カメラ。
【請求項３】
前記レンズ保持部材を第１レンズ保持部材とし、その第１レンズ保持部材とそれに隣り合う第２レンズ保持部材とを互いの間隔が異なるように光軸方向に移動して焦点距離を変更する撮影光学系であって、前記電磁石をリング形状に作り、その電磁石を前記第１及び第２レンズ保持部材の間に配したことを特徴とする請求項１記載のカメラ付き電子機器。
【請求項４】
前記電磁石は、前記永久磁石の外周に配され、前記永久磁石との間で作用する吸着又は反発を利用して光軸を中心とする周方向に前記レンズ保持部材を回転させるとともに、前記位置決め手段は、前記レンズ保持部材に設けたカムピンと、前記カムピンが光軸方向から当接し、前記周方向に対して光軸方向に変位を持つ固定のカム面とから構成されていることを特徴とする請求項１記載のカメラ付き電子カメラ。
【請求項５】
前記レンズ保持部材を第１レンズ保持部材とし、その第１レンズ保持部材とそれに隣り合う第２レンズ保持部材とを互いの間隔が異なるように光軸方向に移動して焦点距離を変更する撮影光学系であって、
前記永久磁石は、前記周方向の等分割位置に磁性の向きを同じにした姿勢で複数設けられており、
また前記電磁石の磁極は、前記第１及び第２レンズ保持枠の外周に配されており、前記周方向の等分割位置に複数設けられていることを特徴とする請求項４記載のカメラ付き電子機器。
【請求項６】
前記電磁石に流す電流の向きを変えることで前記電磁石の磁極を切り換える制御手段を備えていることを特徴とする請求項１ないし５いずれか記載のカメラ付き電子機器。
【発明の詳細な説明】
【０００１】
【発明の属する技術分野】
本発明は、携帯電話、携帯情報端末などの電子機器に電子カメラを内蔵したカメラ付き電子機器に関するものである。
【０００２】
【従来の技術】
従来、携帯電話、携帯情報端末などの携帯用の電子機器に小型の電子カメラを内蔵したものが提案されている（特許文献１）。電子カメラは、ＣＣＤ型やＣＭＯＳ型の固体撮像素子と撮像光学系とで構成されており、撮像光学系により結像する被写体像を固体撮像素子で撮像する。撮像した画像は、電子機器に設けた液晶モニタで確認することが可能であり、また公衆回線などを通じて別の電子機器に撮像画像を送信することが可能である。しかし、撮像光学系は、一般的に単焦点レンズを用いたパンフォーカスタイプとなっている。そこで、焦点距離を変更することができる撮像光学系を組み込むことが望まれている。
【０００３】
【特許文献１】
特開２００１−２２３９２４号公報
【０００４】
【発明が解決しようとする課題】
しかしながら、焦点距離を変更するには、撮影レンズのうちの一部のレンズを光軸方向に移動する機構が必要になる。従来写真用カメラなどでは、モータの駆動を用いてカム筒などを回転してカムの回転に対する光軸方向の変位によりレンズを予め決められた位置に移動している。しかし、このようなカム機構に用いる筒は、プラスチック材料を用いて射出成型により外周にカム溝やカム開口を作るため、筒の製作が容易ではなく、コストが高くついてしまう欠点があった。しかも、精度が必要になるとともに、小型の電子機器に用いる撮影光学系では筒のサイズが小さいため、組立のときに困難極まる作業となる欠点があった。
【０００５】
本発明はこのような事情に鑑みてなされたものであり、可変焦点式の撮像機構をコンパクトにして簡便に組み込むことができるように工夫した電子機器をローコストで提供することを目的とする。
【０００６】
【課題を解決するための手段】
上記目的を達成するために、本発明のカメラ付き電子機器では、前記レンズ群を保持するレンズ保持部材と、前記レンズ保持部材に設けられた永久磁石と、前記永久磁石との間で作用する吸着又は反発を利用して前記レンズ保持部材を移動させる固定の電磁石と、前記レンズ保持部材を光軸方向に位置決めする位置決め手段とを備えたものである。
【０００７】
電磁石を用いて永久磁石付きのレンズ保持枠を光軸方向に移動する手段には、光軸方向に直進的に移動させる直進移動手段と光軸を中心とする周方向に回転させながらレンズ保持部材を光軸方向に移動させる回転移動手段とが考えられる。
【０００８】
このような直進移動手段を用いる場合には、電磁石への通電をＯＮ−ＯＦＦ制御するＯＮ−ＯＦＦ制御手段と、電磁石に流す電流の向きを変える磁極切換制御手段との何れか一方を用いることができる。ＯＮ−ＯＦＦ制御手段では、電磁石への通電をＯＮしたときに永久磁石との間で作用する吸着又は反発を利用して隣り合うレンズ保持部材を一方の位置に移動させ、電磁石への通電をＯＦＦしたときには永久磁石同士の反発又は吸着を利用して隣り合うレンズ保持部材を互いが離反する又は接近する方向に向けてそれぞれ移動する。この場合には、撮影レンズを構成するうちの少なくとも隣り合う２つのレンズ保持部材を互いの間隔が変わるように移動して焦点距離を変える撮影光学系に対して用いることができる。
【０００９】
磁極切換制御手段を用いる場合には、電磁石を通電して一方向の極を発生させて永久磁石との間で作用する吸着を利用してレンズ保持部材を移動させるとともに、電流の向きを逆方向に切り換えることで電磁石に前記一方向とは逆の他方向の磁極を発生させて永久磁石との間で作用する反発を利用してレンズ保持部材を移動させる。
【００１０】
直進移動手段を用い、かつ磁極切換制御手段を用いる場合には、保持手段、及び位置決め手段とを備えるとともに、レンズ保持部材のうちの光軸方向に沿う一方側に電磁石を配す。前記保持手段は、レンズ保持部材を光軸方向に移動自在に保持するもので、また前記位置決め手段は、光軸方向のうちの異なる二位置でレンズ保持部材を位置決めするものである。これによれば、レンズ保持部材の移動を磁力により行い、レンズ保持部材の位置決めは位置決め手段で行うため、精度の高いレンズ移動を行うことができる。
【００１１】
回転移動手段を用いる場合には、磁極切換制御手段を用いる。この構成では、電磁石を永久磁石の外周に配し、電磁石の磁極を変えることで永久磁石との間で作用する吸着又は反発を利用してレンズ保持部材を光軸を中心とする周方向に回転させる。この場合、回転することでレンズ保持部材を光軸方向に移動させて光軸上のうちの予め決められた位置に位置決めする手段が必要になる。この位置決め手段としては、例えばレンズ保持部材に設けたカムピンと、前記カムピンが光軸方向から当接し、光軸を中心とする周方向に対して光軸方向に変位を持つ固定のカム面とで構成するのが好適である。
【００１２】
例えばＯＮ−ＯＦＦ制御手段を用い、かつ直進移動手段を用いる場合には、隣り合う一対のレンズ保持部材の間にリング状の電磁石を配する構成が好適である。この場合には、一対のレンズ保持部材に設ける永久磁石は、どちらも電磁石に吸着するかまたは電磁石と反発するようにしておけばよい。なお、この構成では、ＯＮ−ＯＦＦ制御手段代わりに磁極切換制御手段を用いてもよい。なお、隣り合う一対のレンズ保持部材の両外側にそれぞれ電磁石を配してもよい。
【００１３】
また、隣り合う２つのレンズ保持枠を移動させる光学系で、磁極切換制御手段を用い、かつ直進移動手段を用いる場合には、磁極切換ごとに一対のレンズ保持部材に対向する両側に異なる磁極が生じる電磁石を用いてもよい。この場合には、対向する側が異なる磁極となるように一対の永久磁石を配置すればよい。
【００１４】
さらに、隣り合う第１及び第２レンズ保持枠を移動させる光学系で、磁極切換制御手段を用い、かつ回転移動手段を用いる場合には、隣り合う一対のレンズ保持部材の間に１個の付勢手段を、また一対のレンズ保持部材の両外側に第１及び第２カム部材をそれぞれ配し、前記付勢手段で第１及び第２レンズ保持部材を第１及び第２カム部材に向けてそれぞれ相反する方向に付勢するようにすると、第１及び第２カムピンが第１及び第２カム面に確実に当接する。
【００１５】
【発明の実施の形態】
携帯電話１０は、図１及び図２に示すように、本体部１１と折畳部１２とで構成されており、本体部１１に対して折畳部１２を起伏することができる。本体部１１には、操作部１３、シャッターボタン１４、テレ／ワイド切換ボタン１５などが露呈して設けられている。操作部１３は、電源ボタンを含み、その他電話やメールの操作を行うための多数の操作ボタンからなる。テレ／ワイド切換ボタン１５は、テレ端又はワイド端に向けてズームするための２つのボタンで構成されている。このテレ／ワイド切換ボタン１５やシャッターボタン１４は本体部１１の側面に設けられており、倒伏時でも操作することができる。折畳部１２の裏面には、撮像した画像を表示する液晶表示部１６が設けられている。倒伏時に露呈される折畳部の表面には撮影窓１７が露呈して設けられており、撮影窓１７の奥にはカメラ部が配されている。
【００１６】
カメラ部は、図３に示すように、撮像光学系２０と固体撮像素子２１とで構成されている。撮像光学系２０は、撮影レンズを構成する第１及び第２レンズ群２２，２３とからなり、磁力を利用してそれらレンズ群２２，２３をそれぞれ光軸方向に直進的に移動させて互いの間隔を変更することでテレ位置とワイド位置とで焦点距離を変更する二焦点切替式の光学系となっている。
【００１７】
第１及び第２レンズ群２２，２３は、それぞれ第１及び第２レンズ保持枠２４，２５に保持されている。撮像光学系２０は鏡筒に保持され、鏡筒は、図４にも示すように、固定筒２６、前ストッパ環２７、第１レンズ保持枠２４、電磁石２９、及び第２レンズ保持枠２５で構成されている。
【００１８】
第１及び第２レンズ保持枠２４，２５は、固定筒２６の内面に組み込まれ、ガイド手段（図示なし）により光軸方向に移動自在となっている。なお、ガイド手段としては、ガイド突起とガイド溝とで構成するのが好適である。ガイド突起は、第１及び第２レンズ保持枠２４，２５の外周面に設けられている。ガイド溝は、固定筒２６の内周面に光軸方向に沿って直線的に形成されており、ガイド突起が係合する。これらガイド突起とガイド溝とを光軸を中心とする周方向の３分割位置にそれぞれ設けることで各レンズ群２２，２３の回転止めも行える。
【００１９】
固体撮像素子２１は折畳部１２の内部に設けた基板１９に取り付けられている。基板１９には、保持部材３２を介して撮影光学系２０の結像面が固体撮像素子２１の撮像面に一致するように固定筒２６の後端が取り付けられている。固定筒２６には、内周面に第２レンズ保持枠２５、電磁石２９、及び第１レンズ保持枠２４が順に挿入され、最後に前ストッパ環２７が前端に固定される。
【００２０】
第１及び第２レンズ保持枠２４，２５には、外周に第１及び第２磁石２８，３０がそれぞれ取り付けられている。第１及び第２磁石２８，３０は、第１及び第２レンズ保持枠２４，２５の対向する面に一部が露呈するように固定されており、対向する面での磁極が引き合う磁極となるように、第１及び第２レンズ保持枠２４，２５の対向する面のうちの光軸方向の前方側（被写体側）の面がＳ極、後方側がＮ極となっているリング形状の永久磁石である。
【００２１】
電磁石２９は、第１及び第２レンズ保持枠２４，２５との間に配され、外周が固定筒２６の内周面に接する寸法で、かつ内周が撮影光路に入り込まない寸法のリング形状の輪郭に形成されている。電磁石２９の前面は第１レンズ保持枠２４の後面と対峙し、また後面は第２レンズ保持枠２５の前面に対峙している。この電磁石２９には、電流切換回路３７により通電されることで光軸方向に前・後方で磁極が異なる磁石となる。電流切換回路３７は、電流を流す向きを切り換えることで、電磁石の磁極を反転させる。
【００２２】
ところで、磁力のみでは、レンズ保持枠２４，２５を精度良く移動させることができない。そこで、位置決め手段を別に設けるのが望ましい。位置決め手段としては、図３及び図４に示したように当接ピン３３，３５と一対の当接面３４ａ，３４ｂ，３６ａ，３６ｂとで構成する。当接ピン３３，３５は、第１及び第２レンズ保持枠２４，２５の外周に突出して設けられている。また、当接面３４ａ，３４ｂ，３６ａ，３６ｂは、固定筒２６の内周に設けた２つの溝３４，３６のうちの光軸方向に沿う前後の壁となっている。溝３４，３６は、光軸方向に直進的に形成されており、光軸方向で対面する当接面３４ａ，３４ｂ間の距離及び当接面３６ａ，３６ｂ間の距離は各レンズ２２，２３を移動させる長さに応じて作られている。
【００２３】
撮影光学系２０は、当接ピン３３が当接面３４ｂに、当接ピン３５が当接面３６ａにそれぞれ当接したレンズ位置のときにワイド位置となり、また当接ピン３３が当接面３４ａに、当接ピン３５が当接面３６ｂにそれぞれ当接したレンズ位置のときにテレ位置となる。この位置決め手段を前述したガイド手段に持たせるのが複雑化しないため好適である。
【００２４】
なお、固定筒２６には、電磁石２９をセットビスによってネジ止めするためのネジ穴３８が形成されている。このネジ穴３８を光軸方向に長い長穴とすることで、固定筒２６に対して電磁石２９の取り付け位置を光軸方向に沿って変えることができ、これにより、組立時にレンズ保持枠２４，２５に与える磁力の調節を適宜変えることができる。
【００２５】
電流切換回路３７の駆動は、制御部３９に制御される。制御部３９は、携帯電話１０の各部を統括的に制御するもので、テレ／ワイド切替ボタン１５の操作に応じて電流切換回路３７の駆動を制御する。この制御は、電流切換回路３７にテレ信号又はワイド信号を送って電流切換回路３７が電磁石２９を通電する電流の向きを制御する。
【００２６】
上記構成の作用を簡単に説明する。携帯電話１０の電源ボタン又はテレ／ワイド切換ボタン１５を操作することで、制御部３９が電流切換回路３７にワイド信号を送って電流切換回路３７を駆動する。電流切換回路３７は、一方向の向きで電流を電磁石２９に流して電磁石２９を通電する。これにより、電磁石２９は、光軸方向の前端にＳ極を後端にＮ極を発生し、互いの永久磁石２８，３０を引き寄せる。これにより、撮影光学系２０は、図３（Ａ）に示すように、第１及び第２レンズ保持枠２４，２５が接近する方向に押されて当接ピン３３が当接面３４ｂに、当接ピン３５が当接面３６ａにそれぞれ当接したワイド位置となる。この状態では、第１及び第２レンズ保持枠２４，２５と電磁石２９との間に隙間が生じている。
【００２７】
撮影するときには、操作部１３で操作して携帯電話１０をカメラモードにする。これにより固体撮像素子２１が駆動して撮影光学系２０で結像した被写体像の画像が液晶表示部１６に表示される。このモードで折畳部１２の表面を被写体に向けてフレーミングした後にシャッターボタン１４を押すと、その時点で撮像している被写体画像がメモリに記憶される。この撮影光学系２０は、前景から後景まで明快にピントが合うパンフォーカスとなっている。
【００２８】
撮像光学系２０をワイド位置からテレ位置に切り替える場合には、テレ／ワイド切替ボタン１５を操作する。この操作に応答して制御部３９からテレ信号が電流切換回路３７に送られ、電流切換回路３７が電流の向きを逆に流す。これにより、電磁石２９の磁極が反転して互いの永久磁石２８，３０を反発させる。これにより、図３（Ｂ）に示すように、第１レンズ保持枠２４が光軸方向の前方に向けて移動し、また、第２レンズ保持枠２５が光軸方向の後方に向けて移動する。これにより当接ピン３３が当接面３４ａに、当接ピン３５が当接面３６ｂにそれぞれ当接し撮像光学系２０がテレ位置となる。
【００２９】
上記実施形態では、磁極切換制御手段で電磁石の磁極を切り換えるようにしているが、これの代わりにＯＮ−ＯＦＦ制御手段を用いてもよい。この場合には、制御手段に制御されるドライバが電磁石に通電を行うように構成する。電磁石は、通電させているときだけ磁石となり、磁石になると光軸方向の前端にＮ極に、後端にＳ極を発生し、互いの永久磁石２８，３０を反発させる。このとき、第１及び第２レンズ保持枠２４，２５がテレ位置に移動する。電磁石への通電を遮断したときには、一対の永久磁石２８，３０が第１及び第２レンズ保持枠２４，２５の対向する面のうちの光軸方向の前方側（被写体側）の面がＳ極、後方側がＮ極となっているから、互いの対向する面で磁極が引き合って第１及び第２レンズ保持枠２４，２５がワイド位置に移動する。
【００３０】
なお、上記各実施形態では、永久磁石２８，３０や電磁石２９に生じる磁極の向きを限定しているが、これらの磁極の向きは磁石の吸引及び反発を利用してレンズを移動することができる向きの磁極であればいずれでもよい。
【００３１】
また、電磁石２９を第１及び第２レンズ保持枠２４，２５の間に配しているが、本発明ではこれに限らず、第１及び第２レンズ保持枠２４，２５の両側に一対の電磁石をそれぞれ配し、個々の電磁石で１個のレンズ保持枠を移動させるようにしてもよい。この場合には、一対の電磁石を通電する制御を同期する必要がある。また、第１及び第２レンズ保持枠２４，２５の間に圧縮コイルバネを配し、電磁石に引き合う力をバネの付勢で補助するようにしてもよい。
【００３２】
また、上記実施形態では、位置決め手段を当接ピン３３，３５が当接面３４ａ，３６ｂとで構成しているが、これらの限らず、電磁石２９の光軸方向に沿う両側の面と、固定筒２６の両端内周の突起とで構成してもよい。
【００３３】
次に、磁力を利用してレンズ保持枠を回転しながら光軸方向に移動させる実施形態について説明する。この実施形態では、図５及び図６に示すように、第１カム枠４０、固定筒４１、第１レンズ保持枠４２、コイルバネ４３、第２レンズ保持枠４４、及び第２カム枠４６で鏡筒が構成されている。
【００３４】
第１及び第２レンズ保持枠４２，４４は、固定筒４１の内面に光軸を中心とする周方向に回転自在で、かつ光軸方向に移動自在に組み込まれている。
【００３５】
第１カム枠４０は固定筒４１の前端に回転止めした状態で固定され、また第２カム枠４６は固定筒４１の後端に回転止めした状態で嵌め込まれて固定される。コイルバネ４３は、第１レンズ保持枠４２と第２レンズ保持枠４４との間に配され、第１及び第２レンズ保持枠４２，４４を互いが離れる方向に向けてそれぞれ付勢する。なお、コイルバネ４３は、被写体光路を遮らない内径で作成された圧縮コイルバネである。
【００３６】
第１レンズ保持枠４２の前端には、光軸方向の前方に向けて突出したカムピン４７が設けられている。カムピン４７は、第１カム枠４０の後端に設けたカム面４８に当接する。第２レンズ保持枠４４の後端にも光軸方向の後方に向けて突出したカムピン４９が設けられている。カムピン４９は第２カム枠４６の前端に設けたカム面５０に当接する。これらカム面４８，５０は、第１及び第２レンズ保持枠４２，４４を予め決められた変倍軌跡上に沿ってそれぞれ光軸方向に移動させてテレ位置とワイド位置とに位置決めする。なお、カムピン４７，４９及びカム面４８，５０は、例えば光軸を中心とする周方向のうちの３分割位置に３個ずつ設けられている。また、カムピン４７，４９としては、カム面に当たる形状であればどのような形状でもよい。
【００３７】
第１及び第２レンズ保持枠４２，４４には、外周に第１及び第２磁石ユニット５２，５３がそれぞれ取り付けられている。第１磁石ユニット５２は、図７に示すように、円弧状をした２つの永久磁石５４，５５で構成されており、それぞれ光軸を中心とする径方向で磁極の向きが同じとなるように外周がＳ極、内周がＮ極となっている。これら永久磁石５４，５５は、光軸を中心とする周方向のうちの等分割位置に配されている。なお、第２磁石ユニット５３も第１磁石ユニット５２と同じ構成、すなわち円弧状をした２つの永久磁石５６，５７（図５参照）を、光軸を中心とする周方向のうちの等分割位置に配した構成となっている。
【００３８】
固定筒４１の内周には、電磁石ユニット６０が嵌め込まれている。電磁石ユニット６０も、円弧状の２つの電磁石６１，６２で構成されており、これら電磁石６１，６２は光軸を中心とする周方向のうちの等分割位置に配した構成となっている。また、各電磁石６１，６２の光軸方向に沿う長さは第１及び第２磁石ユニット５２，５３の全部又は一部を覆う長さとなっている。一対の電磁石６１，６２は、電流切換回路６５で電流の流れる向きが切り換えられることで第１及び第２磁石ユニット５２，５３にそれぞれ引き合う吸引位置と、反発して吸引位置から９０度分だけ回転する反発位置との間で第１及び第２レンズ保持枠４２，４４を回転させる。
【００３９】
なお、磁力の吸引又は反発を利用して第１及び第２レンズ保持枠４２，４４を同期回転することができる構成であれば、第１及び第２磁石ユニット５２，５３の磁極の向きや電磁石ユニット６０に発生させる磁極の向きはいずれでもよい。また、第１レンズ保持枠４２と第２レンズ保持枠４４との間に回転方向の係合手段を設けて、第１レンズ保持枠４２と第２レンズ保持枠４４との同期回転を確実にする機構があっても良い。
【００４０】
上記構成の作用を簡単に説明する。携帯電話１０の電源ボタン又はテレ／ワイド切換ボタン１５を操作することで、制御部６６が電流切換回路６５にワイド信号を送って電流切換回路６５を駆動する。電流切換回路６５は、一方向の向きで電流を一対の電磁石６１，６２に流す。これにより、一対の電磁石６１，６２は、外周にＳ極を内周にＮ極を発生し、第１及び第２磁石ユニット５２，５３を引き寄せる。これにより、第１及び第２レンズ保持枠４２，４４が吸引位置に回転し、このときのカムピン４７，４９がカム面４８，５０に当接する位置で第１及び第２レンズ保持枠４２，４４が光軸上の異なる二位置に移動される。このときの位置は、第１及び第２レンズ保持枠４２，４４が最も接近した位置となって撮影光学系がワイド位置となる。
【００４１】
撮像光学系２０をワイド位置からテレ位置に切り替える場合には、テレ／ワイド切替ボタン１５を操作する。この操作に応答して制御部６６からテレ信号が電流切換回路６５に送られ、電流切換回路６５が電流の向きを逆に流す。これにより、電磁石ユニット６０の磁極が反転して第１及び第２磁石ユニット５２，５３との間で反発を作用させる。これにより、第１及び第２レンズ保持枠４２，４４が同期して９０度分だけ回転する。このときのカムピン４７，４９がカム面４８，５０に当接する位置で第１及び第２レンズ保持枠４２，４４が光軸上の異なる二位置に移動される。このときの位置は、第１及び第２レンズ保持枠４２，４４が最も離反する位置となって撮影光学系がテレ位置となる。
【００４２】
また、この実施形態では、バネ４３で第１及び第２レンズ保持枠４２，４４を第１及び第２カム枠４０，４６に向けてそれぞれ付勢しているから、携帯電話１０の電源を切ったときでも第１及び第２レンズ保持枠４２，４４がその位置に保持され、電磁石ユニット６０への通電を解除してもレンズが動くことはない。
【００４３】
上記実施形態では、電磁石６１，６２を２つ設けているが、３個以上設けても良い。この場合、電磁石と同じ個数でカムピンとカム面とを設ける必要がある。
【００４４】
上記各実施形態では、隣り合う２つのレンズ群で構成した撮影光学系としているが、本発明ではこれに限らず、３個以上のレンズ群で構成され、そのうちの少なくとも２つのレンズ群の間隔を変えることで焦点距離を変更することができる撮影光学系でも本発明を採用することができるのはいうまでもない。
【００４５】
また、上記実施形態では、本発明を用いたカメラを携帯電話に内蔵しているが、ＰＤＡ（Personal Digital(Data) Assistants ）〔携帯情報端末〕などの電子機器に内蔵する構成としてもよい。
【００４６】
【発明の効果】
以上に述べたように、本発明では、レンズ群を保持するレンズ保持部材に設けた永久磁石と電磁石との間で作用する吸着又は反発を利用してレンズ保持部材を光軸方向に移動させ、位置決め手段でレンズ保持部材を光軸方向での異なる位置に位置決めするようにしたから、従来技術で説明したように外周にカム面を作る筒を用いるカム機構と比較して、製造・組立が簡便で、ローコストで作ることができる。
【図面の簡単な説明】
【図１】本発明を用いた携帯電話を示す斜視図であり、倒伏状態を示している。
【図２】起立状態の携帯電話を示す斜視図である。
【図３】携帯電話に内蔵される鏡筒を示す断面図であり、（Ａ）はワイド位置の状態を、また（Ｂ）はテレ位置の状態をそれぞれ示している。
【図４】撮像光学系を示す分解斜視図である。
【図５】磁力を利用して回転させながら光軸方向に移動させる別の実施形態を示す断面図である。
【図６】図５で説明した鏡筒を示す分解斜視図である。
【図７】図６で説明した第１磁石ユニットと電磁石ユニットとの位置関係を示す縦断面図である。
【符号の説明】
１０  携帯電話
２１  固体撮像素子
２２  第１レンズ
２３  第２レンズ
２４，４２  第１レンズ保持枠
２５，４４  第２レンズ保持枠
２６  固定筒
２８，３０，５４，５５，５６，５７  永久磁石
２９，６１，６２  電磁石
３３，３５  当接ピン
３４ａ，３４ｂ，３６ａ，３６ｂ  当接ピン
４３  コイルバネ
４７，４９  カムピン
４８，５０  カム面
【図１】
2004212452.tif 000003
【図２】
2004212452.tif 000004
【図３】
2004212452.tif 000005
【図４】
2004212452.tif 000006
【図５】
2004212452.tif 000007
【図６】
2004212452.tif 000008
【図７】
2004212452.tif 000009